(57)【要約】【課題】住戸番号に対応したサービス情報を住宅情報盤に提供する。【解決手段】複数の住宅情報盤１０にサービス情報を提供する主サーバ装置２０であって、副サーバ装置３０から送信されてきた前記サービス情報に含まれている住戸番号の住宅情報盤に、前記サービス情報の閲覧の許可および前記サービス情報に関する通知の少なくとも一方を行うことを特徴とする。【選択図】図１
2019149829.tif 000002
【特許請求の範囲】
【請求項１】
複数の住宅情報盤にサービス情報を提供する主サーバ装置であって、
副サーバ装置から送信されてきた前記サービス情報に含まれている住戸番号の住宅情報盤に、前記サービス情報の閲覧の許可および前記サービス情報に関する通知の少なくとも一方を行うことを特徴とする主サーバ装置。
【請求項２】
前記副サーバ装置から送信される前記サービス情報は、フォーマットが規定されている請求項１に記載の主サーバ装置。
【請求項３】
前記主サーバ装置と前記サーバ装置とは、バーチャルプライベートネットワークによりネットワーク接続されている請求項１または２に記載の主サーバ装置。
【請求項４】
請求項１〜３のいずれか１項に記載の主サーバ装置と、前記住宅情報盤とを備える住宅情報盤システム。
【請求項５】
請求項１〜３のいずれか１項に記載の主サーバと、前記住宅情報盤と、前記副サーバ装置とを備える住宅情報盤システム。 
【発明の詳細な説明】
【技術分野】
【０００１】
本発明は、複数の住宅情報盤にサービス情報を提供する主サーバ装置及びこれを備えた住宅情報盤システムに関する。
【背景技術】
【０００２】
従来、前記のようなシステムについて様々な提案がなされている。例えば次の特許文献１では、共用施設の管理予約や施開錠許可等を行うサーバ装置を備え、インターホン親機での操作によって、共用施設の予約申込等を行う集合用システムが提案されている。また特許文献２では、共用車両の予約管理等を行うサーバ装置を備え、インターホン親機での操作によって、共用車両の予約や利用照会等を行う集合用システムが提案されている。
【先行技術文献】
【特許文献】
【０００３】
【特許文献１】特開2009-030230号公報
【特許文献２】特開2003-196782号公報
【発明の概要】
【発明が解決しようとする課題】
【０００４】
ところで、前記のようなシステムでは、住宅情報盤に呼び出した画面上で共用施設の抽選を伴う予約申し込みを受け付けて、その抽選結果も住宅情報盤に表示されると利便である。
【課題を解決するための手段】
【０００５】
本発明は、複数の住宅情報盤にサービス情報を提供する主サーバ装置であって、副サーバ装置から送信されてきた前記サービス情報に含まれている住戸番号の住宅情報盤に、前記サービス情報の閲覧の許可および前記サービス情報に関する通知の少なくとも一方を行うことを特徴とする。
【発明の効果】
【０００６】
本発明では、住戸番号に対応したサービス情報を住宅情報盤に提供することができる。
【図面の簡単な説明】
【０００７】
【図１】（ａ）は本発明の実施形態の一例とされる住宅情報盤システムの基本構成図である。
【図２】（ａ）−（ｃ）はそれぞれ前記システムの住宅情報盤に表示されるメニュー画面、情報サービス画面、サービス実行画面の例である。
【図３】（ａ）、（ｂ）はそれぞれ前記システムの住宅情報盤に表示されるサービス実行画面、サービス実行子画面の例である。
【図４】（ａ）、（ｂ）はそれぞれ前記システムの住宅情報盤に表示されるポップアップ画面、サービス実行子画面の例である。
【図５】通知ランプの点灯した状態の例を示す前記住宅情報盤の正面図である。
【図６】（ａ）、（ｂ）はそれぞれ前記システムの住宅情報盤に表示されるサービス実行画面、サービス実行子画面の例である。
【図７】前記システムの基本動作の例を示すフロー図である。
【発明を実施するための形態】
【０００８】
以下、本発明の実施形態の一例を、図面を参照しながら説明する。
図１に示す住宅情報盤システムはマンション用のものである。つまり住宅情報盤１０は、マンションの各住戸に設置され、住戸番号が割り当てられ、制御装置１１を介して共同玄関機１２や管理室機１３に接続されて、集合用インターホンシステムを構成している。
【０００９】
住宅情報盤１０は、共同玄関機１２あるいはドアホン１４との間で呼出通話を提供するインターホン機能と、各種の感知器１５を制御して防災、防犯監視するセキュリティ機能とを備える。これらの機能は基本的に従来と同様であるから説明を割愛する。
【００１０】
住宅情報盤１０は、住宅情報盤の機能を拡張するためのサービスを主サーバ装置２０、副サーバ装置３０から受けられるように、インターネット等のネットワーク２を通じて、それらのサーバ装置２０、３０に接続されている。具体的には、住宅情報盤１０の各々と、住宅情報盤１０に情報サービス画面を表示させる主サーバ装置２０と、情報サービス画面を通じて呼び出されるサービスを実行する副サーバ装置３０とが、相互に暗号化通信可能にネットワーク２接続されている。
【００１１】
ネットワーク２はインターネットを想定しており、不正アクセス等を防止するために、住宅情報盤１０、主サーバ装置２０、副サーバ装置３０のいずれもＶＰＮ（バーチャルプライベートネットワーク）機器３を介してネットワーク２に接続されている。このように暗号化通信として、ＶＰＮを用いたものを採用すれば、非常に高度なセキュリティが確保できる。ゲートウェイ装置１６は、住宅情報盤１０を収容するＬＡＮを構成するものであり、そのＬＡＮのファイアーウォールとして機能する。なお暗号化通信はＶＰＮを用いたものに限定されず、例えばＳＳＬ（セキュア―ソケットレイヤー）等を用いてもよい。
【００１２】
住宅情報盤１０の機能拡張は、住宅情報盤１０のメニュー画面を起点として主サーバ装置２０の提供する情報サービス画面等をシームレスに切換表示させ、その画面を通じて、主サーバ装置２０あるいは副サーバ装置２０にサービスを実行させる仕組みとする。これによって住宅情報盤１０のそのものを何ら変更することなく、主サーバ装置２０側の修正のみで住宅情報盤１０に新たな機能を簡単に追加することが可能になる。これは、同一仕様の住宅情報盤を用いつつも、集合の規模、共用施設の有無、立地条件等に応じて最適なサービスが提供できることを意味する。
【００１３】
情報サービス画面から呼び出される個々のサービスは、主サーバ装置２０、副サーバ装置３０のいずれで実行してもよい。本発明は、その後者において特に主サーバ装置２０と副サーバ装置３０との連携が必要となる場合に、その連携をスムースに行えるようにすることを意図したものである。その連携の具体的な中身としては、例えば情報サービス画面から副サーバ装置３０の提供するサービスを呼び出すための構成や、副サーバ装置３０がサービスを実行した結果、住宅情報盤１０に通知することが必要となったサービス結果情報の通知方法等が挙げられる。
【００１４】
住宅情報盤１０は、小型タッチパネル１０ａを備えている。その画面におけるメニュー画面の閲覧／操作や、そこから階層的に切換表示される情報サービス画面、サービス実行画面等の閲覧／操作を提供する仕組みは特に制限されないが、ウェブ技術によって実現してもよい。具体的には、住宅情報盤１０の「メニュー」ボタン１０ｂの操作によってブラウザプログラムを起動させて、住宅情報盤１０に予め用意しているメニュー画面を最初に読み出す。そしてそれ以後は、ブラウザプログラムの制御の下、各画面に設けられているリンクボタンの操作によって、主サーバ装置２０から情報サービス画面を読み出したり、副サーバ装置３０からサービスを呼び出したりすることが可能である。そうした場合、主サーバ装置２０、副サーバ装置３０には、住宅情報盤に各種画面情報を提供したり、サービスを実行したりするためのウェブサーバ２０ａ、３０ａが設けられる。また主サーバ装置２０には、後述するサービス結果情報を蓄積するためのデータベース２０ｂ等を設けてもよい。なおメニュー画面、情報サービス画面等は同一のタッチパネル上で相互に切換表示されることが前提であるから、画面間で、解像度、表示色、デザイン等は共通化することが望ましく、そうすれば居住者に自然な使用感を与えることができる。
【００１５】
図２（ａ）は住宅情報盤に最初に表示されるメニュー画面の例である。メニュー画面Ｗ１の上部には、「お知らせ」、「警報」、「天気予報」アイコンＡ１が配列されている。これらのアイコンＡ１は、主サーバ装置によって点灯状態や表示内容が制御される。画面中央部には、在宅又はお出かけモード（セキュリティ状態）を示すモードアイコンＡ２と、そのモードを相互に切り換えるための「モード切換」キーＢ１とが配列されている。画面下部には、「呼出／伝号」、「情報」、「記録管理」等、複数のファンクションキーＢ２が配列されている。ファンクションキーＢ２は、左右に配置されている矢印キーＢ３をタッチ操作すればスライド移動して、その横に隠れている他のファンクションキーが現れるようになっている。
【００１６】
ファンクションキーＢ２は、タッチ操作すれば、対応したファンクション実行画面が切換表示されて、所定のファンクションが実行されるようになっている。例えば「呼出／伝言」キーによって切換表示されるファンクション実行画面では、管理室等との間で呼出通話を行ったり、伝言メッセージを録音、再生したりできる。
【００１７】
ファンクションキーＢ２の中でも「情報」キーは特別であり、このキーのタッチ操作によって呼び出される情報サービス画面は、主サーバ装置によって提供される。
【００１８】
図２（ｂ）はそのような情報サービス画面の例である。サービス情報画面Ｗ２の上部には、メニュー画面Ｗ１からこの画面まで経路情報と、「戻る」キーＢ４が配列されている。「戻る」キーＢ４は、メニュー画面Ｗ１に戻るためのリンクになっている。画面中央部には、「お知らせ」、「地域ニュース」、「天気」、「テニスコード予約申込」等、複数のサービス選択キーＢ５が配列されている。サービス選択キーＢ５は、タッチ操作すれば、対応したサービス実行画面が切換表示されて、その画面上で所定のサービスが実行されるようになっている。
【００１９】
情報サービス画面Ｗ２を通じて呼び出されるサービスは、主サーバ装置、副サーバ装置のいずれかで実行される。例えば「お知らせ」キーによって切換表示されるサービス実行画面では、サービスとして、集合の管理業者の発信した全居住者向け、あるいは特定の居住者向け記事情報の閲覧を許可する。ところが、この記事情報の配信サービスは、従来の紙ベースの掲示板を電子化したものであるから、集合の管理業者の運営する主サーバ装置から提供すると好都合である。例えば、管理業者等は、ごみ収集のお知らせ等の回覧板記事情報等を主サーバ装置に入力するだけで、その情報を集合の居住者に自動的に配信することが可能になる。
【００２０】
これに対して「地域ニュース」、「天気」キーによって切換表示されるサービス実行画面では、サービスとして、全居住者に対して、地域ニュース、週間天気予報等の閲覧を許可する。ところが、それらの情報は、集合の管理業者が配信元ではなく、別の情報配信業者が配信するものであるから、その閲覧のためのサービス実行画面は、情報配信業者の運営する副サーバ装置から提供すると好都合である。
【００２１】
また「テニスコート予約申込」キーによって切換表示されるサービス実行画面では、サービスとして、集合で共用されるテニスコートの予約申込を受け付ける。このサービスは、その実行結果として生成されるサービス結果情報を居住者に通知する必要があるサービスの一例である。つまりテニスコートの予約やカーシェアリングの予約等、集合内の共用施設、物品の使用又は貸出予約では、所定期間の申込みを受け付けたあと、その期日に申込みが多数であれば抽選等を実行して予約を確定させ、その結果を申込者に通知する必要がある。
【００２２】
しかしながらそのような施設や物品は、集合の管理業者とは別の業者が管理していることも多く、そのような場合には、これらのサービス実行画面、及びその画面から呼び出されるサービスは、その別業者の運営する副サーバ装置から提供すると好都合である。
【００２３】
その場合、「テニスコート予約申込」キーによって切換表示されるサービス実行画面も、その別業者の運営する副サーバ装置から提供するとよい。予約申込の具体的な手続等は、別業者が適宜決定するものであり、サービス実行画面もそれに応じたものとされる。しかしその場合でも、そのサービス実行画面は、図２（ａ）のメニュー画面Ｗ１間とで、解像度、表示色、デザイン等は共通化することが望ましい。なおこのサービス実行画面には、確定した予約情報を閲覧できる画面へのリンクキーを設けておくと便利である。
【００２４】
副サーバ装置は、前記のようなサービス実行画面から呼び出されるサービスによって集合の居住者から受け付けた予約申込を記録しておき、期日になれば予約を確定する処理を行う。具体的には、申込数が規定以内であれば、申込全てを当選とし、申込数が規定を超えていれば抽選等を行って当選、落選を決定する。サービス結果情報は、申込毎に、住戸番号と当選／落選の情報とを組み合わせたものである。
【００２５】
副サーバ装置が、住宅情報盤から部屋番号を取得する方法としては、スクリプトを用いることが考えられる。すなわち副サーバ装置が提供するサービス実行画面のソースに住宅情報盤から住戸番号を送信させるためのＪＡＶＡスクリプト（登録商標）等を含ませておく。すると住宅情報盤はそのソースを読み取ったときにそのスクリプトを実行することになるので、それによって部屋番号が送信される。副サーバ装置は、申込毎に１件のサービス結果情報を生成してもよいし、全申込をパックしたものを１件だけ生成してもよい。またサービス結果情報は、例えば、住戸番号と、タイトル、詳細内容とを組み合わせた記事形式としてもよい。
【００２６】
ただし副サーバ装置において前記のようなサービスを実行した場合、サービス結果情報をどのような手順で居住者に閲覧させるかはセキュリティ問題に関係する。つまり副サーバ装置は集合の管理業者ではない者が管理することがあるから、セキュリティの見地から云えば、副サーバ装置から住宅情報盤に情報を直接送信する構成を採用すると、セキュリティを甘くする原因になり得る。本発明はこの問題に着目しており、副サーバ装置がサービス結果情報を主サーバ装置に送信し、主サーバ装置がそのサービス結果情報を住宅情報盤に配信する仕組みを提案する。
【００２７】
すなわち、副サーバ装置は、情報サービス画面を通じてサービスが呼び出されると、その呼出元の住宅情報盤から住戸番号を取得し、予約申込の受付や抽選等のサービスを実行したあと、その住戸番号を含ませたサービス結果情報を主サーバ装置に送信する。一方、主サーバ装置は、副サーバ装置から送信されてきたサービス結果情報をデータベース等に蓄積し、そのサービス結果情報に含まれている住戸番号の住戸の住宅情報盤に、蓄積済みのサービス結果情報の閲覧を許可するようにすればよい。
【００２８】
このようなサービス結果情報の伝送を容易にするため、主サーバ装置には、サービス結果情報を受信するためのインタフェースを準備しておくとよい。具体的には、サービス結果情報のフォーマットを規定しておき、主サーバ装置は受信したサービス結果情報から必要な部分を簡単に取り出せるようにする。フォーマットは、例えば、サービス結果情報のシリアル番号、配信先の住戸番号、タイトル、詳細内容等の各情報の配置順序やセパレータ等を定める。なお、副サーバ装置はサービス結果情報に告知日時情報を含めてもよく、主サーバ装置は、サービス結果情報に含まれている告知日時情報に従って、サービス結果情報の閲覧を許可するようにしてもよい。そのようにすれば、メンテナンス等のために副サーバ装置でのサービスの実行を前倒しで行ったときでも、通常通りのスケジュールでサービス結果情報を集合の居住者に通知できる。
【００２９】
サービス結果情報を閲覧させるためのサービスは、情報サービス画面を通じて呼び出されるサービスの１つとして主サーバ装置が実行してもよい。例えば、主サーバ装置は、前記のように、全居住者向け、あるいは特定の居住者向け記事情報を配信するための仕組みを備えているから、その仕組みを利用してもよいし、類似の仕組みを別途用意してもよい。
【００３０】
このように本発明では、副サーバ装置は、サービス結果情報を主サーバ装置に送信し、主サーバ装置は、サービス結果情報に含まれている住戸番号の住宅情報盤に、サービス結果情報の閲覧を許可する。すなわち副サーバ装置は、主サーバ装置との連携によって、サービス結果情報の配信を主サーバ装置に任せることができるので、住宅情報盤システムの細かな仕様等によらずに副サーバ装置が開発でき、副サーバ装置によるサービス提供が低コスト化される。
サービス結果情報を閲覧させるサービスの実行手順は種々考えられるが、そのいくつかの例を以下に説明する。まず、サービス結果情報を閲覧させるためのサービス実行画面を、副サーバ装置の提供するサービス実行画面から呼び出す構成について説明する。
【００３１】
図３（ａ）は、図２（ｂ）の情報サービス画面Ｗ２の「テニスコート予約申込」キーによって表示されるサービス実行画面を呼び出し、更にその画面に設けられた前記リンクキーを操作したときに呼び出されるサービス実行画面の例である。このサービス実行画面Ｗ５の上部には、メニュー画面Ｗ１からこの画面まで経路情報と、「戻る」キーＢ４が配列されている。「戻る」キーＢ４は、呼出元の画面に戻るためのリンクになっている。画面中央には、サービス結果情報のタイトルＡ３と、「詳細」キーＢ１１とからなる複数のスロットＳが配列されている。タイトルＡ３の左側の「！」マークＡ４は未読を示す。サービス結果情報が多数の場合は、スロットＳをスクロール移動させることができる。「詳細」キーＢ１１は、タッチ操作すると、該当サービス結果情報の詳細内容がサービス実行子画面として表示される。
【００３２】
図３（ｂ）はそのようなサービス実行子画面の例である。サービス実行子画面Ｗ６の上部には、メニュー画面Ｗ１からこの画面までの経路情報と、「戻る」キーＢ４が配列されている。「戻る」キーＢ４は、図３（ａ）のサービス実行画面Ｗ５に戻るためのリンクになっている。画面中央には、サービス結果情報のタイトルＡ３と詳細内容Ａ５とが記事形式で表示されている。
【００３３】
次いで、変形例として、サービス結果情報を閲覧させるためのサービス実行画面を、新着情報通知のポップアップ画面から呼び出す構成について説明する。これは、集合の管理業者が全居住者向け、あるいは特定の居住者向けの記事情報を、「お知らせ」キーの操作によって閲覧させるのと同様の仕組みによって実現する。すなわち主サーバ装置は、集合の居住者に配信すべき記事情報等が入力されるとそれを蓄積し、配信先の住宅情報盤に、その記事情報の閲覧を許可するが、その閲覧を促すために、住宅情報盤に対してポップアップ画面等によって新着情報通知を行う機能を備えている。
【００３４】
そこで、主サーバ装置においてサービス結果情報を、前記の記事情報と同様に処理することによって、サービス結果情報に関する新着情報通知を行うことが可能になる。すなわち主サーバ装置は、副サーバ装置から送信されてきたサービス結果情報を受信し蓄積したときに、そのサービス結果情報に含まれている住戸番号の住宅情報盤に新着情報通知を行う。そのようにすれば、居住者がサービス結果情報の確認を忘れてしまう等のことが防止できる。
【００３５】
図４（ａ）は、そのようなサービス結果情報に対するポップアップ画面の例である。ポップアップ画面Ｗ７の上部には、この画面の情報と、「確認」キーＢ１２が配列されている。「確認」キーＢ１２は、タッチ操作すると、サービス結果情報を閲覧させるサービス実行子画面が切換表示される。
【００３６】
図４（ｂ）は、そのようなサービス実行子画面の例である。サービス実行子画面Ｗ８の上部には、この画面の情報と、「閉じる」キーＢ１３が配列されている。「閉じる」キーＢ１３は、この画面を閉じて、図４（ａ）のポップアップ画面Ｗ７が表示される前の画面に戻るためのリンクである。画面中央には、サービス結果情報のタイトルＴと詳細内容Ａ５とが記事形式で表示されている。
【００３７】
一方、図４（ａ）のポップアップ画面Ｗ５の表示開始から所定時間内に「確認」キーがタッチ操作されない場合は、ポップアップ画面Ｗ５は自動的に消灯され、住宅情報盤の正面に設けられた通知ランプが点灯されることになる。
【００３８】
図５は、その通知ランプが点灯された状態となった住宅情報盤の一例を示す正面図である。住宅情報盤１０には、小型タッチパネル１０ａと、「メニュー」ボタン１０ｂ等の複数の操作ボタンと、スピーカの音孔１０ｃと、マイク孔１０ｄとが設けられている。「メニュー」ボタン１０ｂには通知ランプ１０ｅが組み込まれている。通知ランプ１０ｅは、図４（ａ）のポップアップ画面Ｗ５が表示された時点から所定時間、住宅情報盤１０が操作なしに放置されると自動的に点灯する。それに気づいた居住者が「メニュー」ボタン１０ｂを操作すると、図２（ａ）のメニュー画面Ｗ１が表示されるが、その画面では、主サーバ装置の制御によって「お知らせ」アイコンが点灯した状態になっている。「お知らせ」アイコンの点灯は新着情報通知を示すものである。その時点で「情報」キーをタッチ操作して図２（ｂ）の情報サービス画面Ｗ２に切り換え、更にそこで「お知らせ」キーをタッチ操作すれば、住者向けの記事情報を閲覧するためのサービス実行画面が表示される。
【００３９】
図６（ａ）は、そのようなサービス実行画面の例である。このサービス実行画面Ｗ９の画面構成は、図３（ａ）のサービス実行画面Ｗ５に類似している。サービス実行画面Ｗ９の上部には、図２（ａ）のメニュー画面Ｗ１からこの画面までの経路情報と、「戻る」キーＢ４が配列されている。画面中央には、居住者向けの記事情報のタイトルＡ３と、「詳細」キーＡ５とからなる複数のスロットＳが配置されており、そこに、副サーバ装置によるサービス結果情報に関するスロットＳも含められている。サービス結果情報に関するスロットＳの「詳細」キーＢ１１をタッチ操作すると、それによって切換表示されるサービス実行子画面において、当該サービス結果情報の詳細内容が表示される。
【００４０】
図５（ｂ）は、そのようなサービス実行子画面の例である。画面構成は、図３（ｂ）のサービス実行子画面Ｗ６に類似している。サービス実行子画面Ｗ１０の上部には、図２（ａ）のメニュー画面Ｗ１からこの画面までの経路情報と、「戻る」キーＢ４が配列されている。画面中央には、サービス結果情報のタイトルＡ３と詳細内容Ａ５とが記事形式で表示されている。
【００４１】
次いでこの実施形態におけるシステムの基本動作をフロー図に従って説明する。
図７のフロー図は、住宅情報盤でのメニュー画面の閲覧操作によって開始され、副サーバ装置でサービスが実行され、そのサービス結果情報が住宅情報盤に表示されるまでの一連の処理動作の例を時系列的に示している。
【００４２】
時刻Ｔ１では、住宅情報盤でのメニュー画面の閲覧／操作（情報キーの操作）がなされて、主サーバ装置に画面情報（情報サービス画面）要求が送信されている。
時刻Ｔ２では、主サーバ装置から住宅情報盤に情報サービス画面情報が返信され、住宅情報盤で情報サービス画面の閲覧／操作（サービス選択キーの操作）がなされて、副主サーバ装置に画面情報（サービス実行画面）要求が送信されている。
時刻Ｔ３では、住宅情報盤でのサービス実行画面の閲覧/操作（サービスキーの操作）がなされて、副サーバ装置にサービス要求が送信されている。副サーバ装置は、サービス要求を受けて、住宅情報盤に部屋番号を要求し、住宅情報盤はそれに対して部屋番号を返信している。
【００４３】
副サーバ装置は、前記サービス要求に対するサービスを実行するが、そのサービスの完了がいつになるかは、サービスの内容次第である。例えばテニスコートの予約であれば、予約申込から予約確定まで１週間程度という場合もある。副サーバ装置は、サービスが完了した時点で、サービス結果情報を主サーバ装置に自動的に送信し、主サーバ装置はその情報を蓄積して住宅情報盤に新着情報通知を行う。
【００４４】
時刻Ｔ４では、住宅情報盤で、新着情報通知としてポップアップ画面が自動的に表示されている。
時刻Ｔ５では、住宅情報盤でのメニュー画面の閲覧／操作（情報キーの操作）がなされて、主サーバ装置に画面情報（情報サービス画面）要求が送信されている。
時刻Ｔ６では、主サーバ装置から情報サービス画面情報が返信され、住宅情報盤で情報サービス画面の閲覧／操作（サービス選択キーの操作）がなされて、副主サーバ装置に画面情報（サービス実行画面）要求が送信されている。
時刻Ｔ７では、主サーバ装置からサービス実行画面情報が返信され、住宅情報盤で情報サービス画面の閲覧／操作（サービス選択キーの操作）がなされて、副主サーバ装置に画面情報（サービス実行画面）要求が送信されている。
時刻Ｔ８では、主サーバ装置からサービス結果情報を含ませたサービス実行子画面情報が返信され、住宅情報盤では、そのサービス実行子画面として、サービス結果情報が表示されている。
【００４５】
なお以上の説明では、マンション用システムを実施形態としているが、本発明は、地区あるいは町内を集合として、その各住戸に共通仕様の住宅用情報盤を設置した集合システムにも同様に適用できる。
【符号の説明】
【００４６】
２      ネットワーク
１０    住宅情報盤
１０ａ  タッチパネル
２０    主サーバ装置
３０    副サーバ装置
Ｗ２    情報サービス画面
【図１】
2019149829.tif 000003
【図２】
2019149829.tif 000004
【図３】
2019149829.tif 000005
【図４】
2019149829.tif 000006
【図５】
2019149829.tif 000007
【図６】
2019149829.tif 000008
【図７】
2019149829.tif 000009